(57)【要約】【課題】防水構造を維持した状態で、キャビネット内部の換気を行い、発熱体の冷却及び湿気の滞留を防止する。【解決手段】テレビ受像機１のキャビネット４を略防水構造とし、キャビネット４に２本のホースを介して送風ユニット１９と排風ダクト２０とを連通させ、送風ユニット１９から送られる空気でキャビネット４内を換気する。【選択図】図１
2011015356.tif 000002
【特許請求の範囲】
【請求項１】
テレビ受像機のキャビネットに、少なくとも表示部を露呈させる表示窓とスピーカからの音声を透過させる音孔とが開口され、該表示部と表示窓の内縁との間がシール材でシールされていると共に、前記音孔の内面が通気性防水シートで閉塞されて略密閉性を有しており、前記キャビネットに送風管と排風管との一端が接続され、該送風管の他端に送風手段を有する送風ユニットが接続されている
ことを特徴とする防水型テレビシステム。
【請求項２】
前記送風管と前記排風管とが蛇腹ホースであり、
前記テレビ受像機が多湿環境に設けられ、
前記送風ユニットが低湿環境に配設される
ことを特徴とする請求項１記載の防水型テレビシステム。
【請求項３】
前記キャビネット内から延出されている外部配線が前記排風管を経て外部に延出されている
ことを特徴とする請求項１或いは２に記載の防水型テレビシステム。
【発明の詳細な説明】
【技術分野】
【０００１】
本発明は、筐体内圧を大気圧よりも高くすることで水分の侵入を防止するようにした防水型テレビシステムに関する。
【背景技術】
【０００２】
一般に、防水型テレビは水分の侵入を防止するために完全密閉構造を採用する場合が多い。しかし、完全密閉構造にした場合、内部の発熱体の放熱対策が問題となる。
【０００３】
例えば特許文献１（特開２００４−２０８０４６号公報）には、密閉された内部空間の空気が、発熱体からの熱により熱膨張した場合、背面枠やモニタパネルを保持する防水弾性シート等の弾性変形により、空気の熱膨張を逃がすようにした防水型テレビが開示されている。
【発明の概要】
【発明が解決しようとする課題】
【０００４】
ところで、上述した文献に開示されているような防水型テレビであっても、内部を完全密閉させることは困難である。又、この種の防水型テレビは、浴室やサウナ室など、多湿環境で使用する場合が多い。
【０００５】
このような防水型テレビを多湿環境で使用した場合、テレビ筐体内に湿気が溜まりやすく結露が発生する等により、内装部品の劣化が助長されてしまう問題がある。
【０００６】
本発明は、上記事情に鑑み、防水構造を維持した状態で、内部換気を行い、湿気の滞留を防止し、内装部品の劣化を抑制することで、製品の高い信頼性を得ることのできる防水型テレビシステムを提供することを目的とする。
【課題を解決するための手段】
【０００７】
上記目的を達成するため本発明による防水型テレビシステムは、テレビ受像機のキャビネットに、少なくとも表示部を露呈させる表示窓とスピーカからの音声を透過させる音孔とが開口され、該表示部と表示窓の内縁との間がシール材でシールされていると共に、前記音孔の内面が通気性防水シートで閉塞されて略密閉性を有しており、前記キャビネットに送風管と排風管との一端が接続され、該送風管の他端に送風手段を有する送風ユニットが接続されていることを特徴とする。
【発明の効果】
【０００８】
本発明によれば、キャビネットを略密閉構造とし、このキャビネットに対して送風ユニットに設けられている送風手段から空気を送り込むことで、キャビネット内を換気するようにしたので、キャビネットは防水構造を維持した状態で、湿気の滞留が防止され、内装部品の劣化が抑制され、製品の高い信頼性を得ることができる。
【図面の簡単な説明】
【０００９】
【図１】防水型テレビシステムの概略構成図
【図２】図１のII-II断面図
【図３】図２のIII部拡大図
【図４】図２のIV部拡大図
【図５】図１のV-V部分断面図
【発明を実施するための形態】
【００１０】
以下、図面に基づいて本発明の一実施形態を説明する。図１に示すように、本実施形態による防水型テレビシステム１は、テレビ受像機２と換気ユニット３とを備えている。
【００１１】
図２に示すように、テレビ受像機２は外装部品であるキャビネット４を有し、このキャビネット４がテレビスタンド５に固定されている。テレビスタンド５は、図示しない周知の首振り機構を有しており、この首振り機構によりテレビ受像機２の向きを上下、左右方向へ所定角度移動させることができる。
【００１２】
このキャビネット４の前面に表示窓４ａが開口されていると共に、その下方の左右に、後述するスピーカ１２からの音声を透過させる音孔４ｂと複数のスイッチ孔４ｃとが穿設されている。このキャビネット４は、例えば前後にモナカ状に分割された２部材から成り、この両部材の分割面がシールされた状態で接合されている。
【００１３】
又、図３に示すように、この表示窓４ａの内側外縁に、この外縁に沿って枠状に形成されたシール材としての弾性シール材６が当接され、この弾性シール材６の背面に、無色透明なガラス板７の外縁が当接されて、表示窓４ａとキャビネット４内部との間がシールされている。又、このガラス板７の背面に、表示部としての表示パネル８が当接されて、この表示パネル８の表示面８ｂが表示窓４ａを通して外部に露呈されている。この表示パネル８は、液晶パネルやプラズマディスプレイパネル等の薄型平面パネルであり、背面に電源部、駆動部などの発熱体８ａが固設されている。
【００１４】
又、表示パネル８の背面側外縁が弾性部材９を介して枠状に形成された背面押圧プレート１０にてキャビネット４内に、所定に位置決めされた状態で固定されている。
【００１５】
更に、図４に示すように、音孔４ｂの内面に通気性防水シート１１が貼付されて、音孔４ｂが閉塞されており、この通気性防水シート１１の背面にスピーカ１２が取付けられている。この通気性防水シート１１は、微少孔を多数有する不織布で形成されており、代表的なものとしてデュポン社製のゴアテックス（登録商標）が知られている。従って、スピーカ１２からの音声は通気性防水シート１１を通過して外部に出力されるが、外部からの水分は通気性防水シート１１にて阻止されるため、キャビネット４内に浸入することはなく、防水性が保持される。
【００１６】
又、キャビネット４の前面に穿設されているスイッチ孔４ｃに、シール材としての断面ハット形の防水キャップ１３が内側から装着されて固定されている。この各スイッチ孔４ｃには、防水キャップ１３を介して、電源スイッチ、チャンネルアップスイッチ、チャンネルダウンスイッチ、ボリュームアップスイッチ、ボリュームダウンスイッチ等の操作スイッチ１４の操作部１４ａが突出されている。
【００１７】
更に、このキャビネット４の一側面の下部に送風口４ｄが開口され、上部に排風口４ｅが開口されている。この各風口４ｄ，４ｅに、送風管としてのフレキシブルホースである送風ホース１６、排風管としてのフレキシブルホースである排風ホース１７の基端側が気密を保持した状態で各々装着されている。この両ホース１６，１７は、可撓性を有する蛇腹ホースであり、送風ホース１６の先端が、換気ユニット３に設けられている送風ユニット１９に接続されている。又、排風ホース１７の先端が排風ダクト２０に接続されている。
【００１８】
発熱体８ａの構成要素である電源部に接続されている電源コードや信号回路に接続されているアンテナケーブル等の外部配線１８は排風ホース１７内を経て外部に延出されている。
【００１９】
送風ユニット１９は、ユニット本体１９ａを有し、このユニット本体１９ａに送風手段としての送風ファン１９ｂが収納されている。更に、このユニット本体１９ａの上流側に、取り外し自在なエアフィルタ２１が装着され、又、送風側がシュラウド１９ｃで覆われている。このシュラウド１９ｃのほぼ中央部に送風ホース１６の先端が接続されている。又、排風ダクト２０はユニット本体１９ａ上に固定されている。
【００２０】
尚、防水型テレビシステム１のテレビ受像機２は、浴室やサウナ室等、多湿環境Ａに設置され、又、換気ユニット３は多湿環境Ａとは別部屋或いは屋外等の低湿環境Ｂに設置されている。又、送風ファン１９ｂはテレビ受像機２の電源スイッチに連動しており、このＯＮ／ＯＦＦスイッチがＯＮされたとき駆動し、ＯＦＦされたとき停止する。
【００２１】
次に、本実施形態による防水型テレビシステム１の換気動作について説明する。図１に示すように、例えばテレビ受像機４を浴室やサウナ室等の多湿環境Ａに設置し、換気ユニット３を別室や屋外等の低湿環境Ｂに設置する。
【００２２】
そして、観察者がテレビ受像機２の電源スイッチをＯＮすると、テレビ受像機２の表示パネル８に画像が表示されると共に、換気ユニット３に設けられている送風ユニット１９の送風ファン１９ｂが駆動する。
【００２３】
すると、この送風ファン１９の駆動により空気がエアフィルタ２１を経てユニット本体１９ａ内に吸い込まれ、送風ホース１６を経てキャビネット４内に空気が送り込まれる。キャビネット４内に送り込まれた空気は、電源部、駆動部等の発熱体８ａを所定に冷却した後、排風ホース１７を通り排風ダクト２０から外気に放出される。従って、テレビ受像機２がＯＮしている間は、キャビネット４内が常時換気されるため、キャビネット４内が効率よく冷却されるばかりでなく、湿気の滞留を防止することができる。
【００２４】
又、テレビ受像機２をＯＦＦさせると、それに連動して送風ファン１９も停止するが、キャビネット４は、略密閉性を有する防水構造であるため、テレビ受像機２を多湿環境Ａに設置した状態であっても、キャビネット４内に湿気が滞留せず、内装部品の劣化を抑制することができる。その結果、製品の高い信頼性を得ることができる。
【００２５】
ところで、キャビネット４に空気が送り込まれている間は、このキャビネット４内が大気圧よりも常時高い状態が維持されるため、内部に水分が浸入し難く、防水性を保持することができる。従って、送風ファン１９をテレビ受像機２のＯＮ／ＯＦＦに拘わらず、常時駆動させていれば、キャビネット４のシール構造を簡易的なものとしても、キャビネット４の防水性を有効に保持させることができる。
【００２６】
尚、本発明は、上述した実施形態に限るものではなく、例えばキャビネット４内に温度センサと湿度センサとを配設し、キャビネット４内が所定温度以上、或いは所定湿度以上となったときは、テレビ受像機２のＯＮ／ＯＦＦに拘わらず送風ファン１９を駆動させるようにしても良い。
【符号の説明】
【００２７】
１…防水型テレビシステム、
２…テレビ受像機、
３…換気ユニット、
４…キャビネット、
４ａ…パネル窓、
４ｂ…音孔、
６…弾性シール材、
８…表示パネル、
９…弾性部材、
１１…通気性防水シート、
１２…スピーカ、
１３…防水キャップ、
１４…操作スイッチ、
１６…送風ホース、
１７…排風ホース、
１８…外部配線、
１９…送風ユニット、
１９ｂ…送風ファン
【先行技術文献】
【特許文献】
【００２８】
【特許文献１】特開２００４−２０８０４６号公報
【図１】
2011015356.tif 000003
【図２】
2011015356.tif 000004
【図３】
2011015356.tif 000005
【図４】
2011015356.tif 000006
【図５】
2011015356.tif 000007